(57)【要約】【課題】印字情報１４に紫外線硬化させ、印字情報１４に各種の耐性を付与可能であるとともに、プリンタの単一ラインで印字および紫外線照射を行うことができるようにした熱転写プリンタを提供すること。【解決手段】紫外線照射器１５として発光ダイオードを採用したものを備えることに着目したもので、プラテンローラ１０およびサーマルヘッド９との間に印字用紙（ラベル連続体６）とともに挟持して移送する熱転写インキリボン１１により印字用紙６に所定の印字情報１４を印字可能である熱転写プリンタであって、熱転写インキリボン１１は、これを紫外線硬化型とするとともに、熱転写インキリボン１１による印字用紙６への印字情報１４に紫外線ＵＶを照射可能な紫外線照射器１５を備えており、紫外線照射器１５は、発光ダイオードにより紫外線ＵＶを照射することを特徴とする。【選択図】図１
2012187756.tif 000002
【特許請求の範囲】
【請求項１】
プリンタハウジングと、
このプリンタハウジングの内部に設けたサーマルヘッドと、
このサーマルヘッドに対向するプラテンローラと、を有し、
このプラテンローラおよび前記サーマルヘッドとの間に印字用紙とともに挟持して移送する熱転写インキリボンによりこの印字用紙に所定の印字情報を印字可能である熱転写プリンタであって、
前記熱転写インキリボンは、これを紫外線硬化型とするとともに、
前記熱転写インキリボンによる前記印字用紙への前記印字情報に紫外線を照射可能な紫外線照射器を備えており、
この紫外線照射器は、発光ダイオードにより前記紫外線を照射することを特徴とする熱転写プリンタ。
【請求項２】
前記紫外線照射器は、前記プリンタハウジングの内部にこれを配置することを特徴とする請求項１記載の熱転写プリンタ。
【請求項３】
前記紫外線照射器は、前記プリンタハウジングの外部にこれを配置することを特徴とする請求項１記載の熱転写プリンタ。
【発明の詳細な説明】
【技術分野】
【０００１】
本発明は熱転写プリンタにかかるもので、とくに紫外線硬化型の熱転写インキリボンを用いた熱転写プリンタに関するものである。
【背景技術】
【０００２】
従来から、ラベルやシールあるいはタグなど各種の印字用紙に所定の印字情報をプリンタにより印字したのち、このプリンタのシステムとは別ラインで紫外線を照射することにより、上記印字情報の耐候性、耐摩耗性、耐溶剤性さらには耐熱性などの各種の耐性機能を付加することが行われている。
【０００３】
しかしながら、プリンタとは別に紫外線照射器を準備しておき、印字発行される印字用紙に紫外線を照射するような構成は、従来の紫外線照射器が大型で高出力であるため、システム全体が大型化してしまうという問題がある。
【０００４】
なお、印字用紙への印字情報の印字後、各種の耐性を有するフィルムを別ラインでラミネートするシステムもあるが、印字工程とラミネート工程とを別ラインで行わなければならないという問題がある。
【先行技術文献】
【特許文献】
【０００５】
【特許文献１】特開２００６−３２６３８５号公報
【発明の概要】
【発明が解決しようとする課題】
【０００６】
本発明は以上のような諸問題にかんがみなされたもので、印字情報に各種の耐性を付与可能な熱転写プリンタを提供することを課題とする。
【０００７】
また本発明は、大型化することなく印字情報に紫外線硬化させることができる熱転写プリンタを提供することを課題とする。
【０００８】
また本発明は、プリンタの単一ラインで印字および紫外線照射を行うことができるようにした熱転写プリンタを提供することを課題とする。
【課題を解決するための手段】
【０００９】
すなわち本発明は、紫外線照射器として発光ダイオードを採用したものを備えることに着目したもので、プリンタハウジングと、このプリンタハウジングの内部に設けたサーマルヘッドと、このサーマルヘッドに対向するプラテンローラと、を有し、このプラテンローラおよび上記サーマルヘッドとの間に印字用紙とともに挟持して移送する熱転写インキリボンによりこの印字用紙に所定の印字情報を印字可能である熱転写プリンタであって、上記熱転写インキリボンは、これを紫外線硬化型とするとともに、上記熱転写インキリボンによる上記印字用紙への上記印字情報に紫外線を照射可能な紫外線照射器を備えており、この紫外線照射器は、発光ダイオードにより上記紫外線を照射することを特徴とする熱転写プリンタである。
【００１０】
上記紫外線照射器は、上記プリンタハウジングの内部にこれを配置することができる。
【００１１】
上記紫外線照射器は、上記プリンタハウジングの外部にこれを配置することができる。
【発明の効果】
【００１２】
本発明による熱転写プリンタにおいては、サーマルヘッドおよびプラテンローラによる印字情報の印字後に発光ダイオードによる紫外線照射を行うようにしたので、装置全体の大型化を回避しつつ、印字情報に各種耐性を付与可能である。
【図面の簡単な説明】
【００１３】
【図１】本発明の実施例による熱転写プリンタ１の概略側面図である。
【図２】同、ラベル連続体６の移送方向下流側から見た紫外線照射器１５およびラベル連続体６の断面説明図である。
【発明を実施するための形態】
【００１４】
本発明は、発光ダイオードにより紫外線を照射可能な紫外線照射器を採用したので、プリンタ自体で印字および印字情報への耐性付与を行うことが可能な熱転写プリンタを実現した。
【実施例】
【００１５】
つぎに本発明の実施例による熱転写プリンタ１を図１および図２にもとづき説明する。
図１は、熱転写プリンタ１の概略側面図であって、熱転写プリンタ１は、プリンタハウジング２と、プリンタハウジング２の内部に設けた用紙供給部３、印字部４および紫外線照射部５と、を有する。
【００１６】
用紙供給部３は、帯状の印字用紙（たとえば図示の例では、ラベル連続体６）をロール状に保持し、印字部４および紫外線照射部５の方向に帯状に繰り出し可能である。
ラベル連続体６は、図１に一部を拡大して示すように、帯状の台紙７と、台紙７の上に仮着するように粘着剤層８Ａを塗布した複数枚のラベル片８と、を有する。
【００１７】
印字部４は、プリンタハウジング２の内部に設けたサーマルヘッド９と、サーマルヘッド９に対向するプラテンローラ１０と、熱転写インキリボン１１のリボン供給軸１２およびリボン巻取り軸１３と、を有する。
プラテンローラ１０およびサーマルヘッド９との間にラベル連続体６とともに挟持して移送する熱転写インキリボン１１によりラベル連続体６（ラベル片８）にバーコードその他所定の印字情報１４を印字可能である。
熱転写インキリボン１１は、少なくともラベル片８に熱転写される部分が紫外線硬化型のインキないしは結着剤その他の添加剤などを含むものとする。
【００１８】
紫外線照射部５は、熱転写インキリボン１１によるラベル片８（ラベル連続体６）への印字情報１４に紫外線ＵＶを照射する紫外線照射器１５を有する。
図２は、ラベル連続体６の移送方向下流側から見た紫外線照射器１５およびラベル連続体６の断面説明図であって、紫外線照射器１５は、照射器本体１６の下部にラベル連続体６の幅方向に複数個の発光ダイオード１７を配置している。
発光ダイオード１７からの紫外線ＵＶによりラベル片８上の印字情報１４は、紫外線硬化し所定の耐性を獲得するとともに、プリンタハウジング２の用紙発行口１８から発行される。
【００１９】
こうした構成の熱転写プリンタ１において、用紙供給部３から帯状に繰り出されたラベル連続体６は印字部４においてそのラベル片８上に所定の印字情報１４を印字され、さらに紫外線照射部５において発光ダイオード１７からの紫外線ＵＶにより硬化し、耐候性、耐摩耗性、耐溶剤性さらには耐熱性など所定の耐性を得ることになる。
かくして、熱転写プリンタ１全体として大型化することなく、熱転写プリンタ１単体によりラベル連続体６への印字、およびこの印字につづいて印字情報１４の耐性付与を直ちに実行可能であり、従来のようなオフライン（別ライン）での作業が不要で、作業性良好に低コストで耐性のあるラベル連続体６（ラベル片８）を得ることができる。
【００２０】
なお本発明においては、紫外線照射器１５は、プリンタハウジング２の内部にこれを配置することもできるが、図１に仮想線で示すように、プリンタハウジング２の外部（用紙発行口１８の近傍）にこれを配置することもできる。
このように構成することにより、従来の熱転写プリンタ１に紫外線照射器１５のみを付加装備する構成とすることができる。
【符号の説明】
【００２１】
１  熱転写プリンタ（実施例、図１）
２  プリンタハウジング
３  用紙供給部
４  印字部
５  紫外線照射部
６  ラベル連続体（印字用紙）
７  台紙
８  ラベル片
８Ａ  ラベル片８の粘着剤層
９  サーマルヘッド
１０  プラテンローラ
１１  紫外線硬化型の熱転写インキリボン
１２  リボン供給軸
１３  リボン巻取り軸
１４  印字情報
１５  紫外線照射器
１６  照射器本体
１７  発光ダイオード
１８  用紙発行口
ＵＶ  紫外線
【図１】
2012187756.tif 000003
【図２】
2012187756.tif 000004